(57)【要約】      （修正有）【課題】一種類の装置で異なるフレームサイズの回路遮断器にも適用できる回路遮断器のメカニカルインターロック装置を提供する。【解決手段】左右に並ぶ２台の回路遮断器のいずれか一方の回路遮断器の操作ハンドルをＯＦＦ位置に鎖錠するメカニカルインターロック装置で、そのメカニカルインターロック３が２台の回路遮断器の間に介装する基台３ｂと、該基台に嵌挿して回路遮断器の前面側に迫り出し、操作ノブ３ｃを介して左右へスライド可能に案内支持されたスライドレバー３ａと、支持脚３ｄからなり、スライドレバーには鎖錠位置に南京錠を掛ける錠掛け穴３ｅを開口したものにおいて、前記スライドレバーの左右両端部に、レバー端縁から長手方向に出没可能な可変レバー３ｆを設け伸縮式レバーとし、レバーの実効長さを適用する回路遮断器のフレームサイズに合わせて設定した位置にねじ締結する。【選択図】        図１
2007324091.tif 000002
【特許請求の範囲】
【請求項１】
左右に並置した２台の回路遮断器のいずれか一方の回路遮断器の操作ハンドルをＯＦＦ位置に鎖錠するメカニカルインターロック装置であり、該装置が２台の回路遮断器の間に介装する基台と、該基台に嵌挿して回路遮断器の前面側に迫り出し、操作ノブを介して左右へスライド可能に案内支持されたスライドレバーとからなり、スライドレバーには鎖錠位置に南京錠を掛ける錠掛け穴を開口したものにおいて、
前記スライドレバーを伸縮式レバーとし、そのレバーの実効長さを適用する回路遮断器のフレームサイズに合わせて可変設定するようにしたことを特徴とする回路遮断器のメカニカルインターロック装置。
【請求項２】
請求項１に記載のメカニカルインターロック装置において、スライドレバーの左右両端部に、該スライドレバーの端縁から回路遮断器の操作ハンドル側に出没可能な可変レバーを設けたことを特徴とする回路遮断器のメカニカルインターロック装置。
【請求項３】
請求項２に記載のメカニカルインターロック装置において、可変レバーをスライドレバーに対して設定位置にねじ締結するものとし、その固定ねじをスライドレバーの裏面側から締結したことを特徴とする回路遮断器のメカニカルインターロック装置。
【発明の詳細な説明】
【技術分野】
【０００１】
本発明は、オートブレーカ（配線用回路遮断器），漏電遮断器などに適用するメカニカルインターロック装置に関する。
【背景技術】
【０００２】
周知のように頭記のメカニカルインターロック装置は、左右に並べて配電盤，制御盤などに配備した２台の回路遮断器について、いずれか一方の回路遮断器の操作ハンドル（ロッカー式ハンドル）をＯＦＦ位置から動かせないように機械的に鎖錠しておくための装置であり（例えば、特許文献１参照）、回路遮断器のメーカーではこのメカニカルインターロックを回路遮断器の外部付属装置として要求のあるユーザーに提供している。
【０００３】
また、このメカニカルインターロック装置について、左右に並ぶ２台の回路遮断器の間に介装したインターロック装置の基台に、回路遮断器の前面側に向けて迫り出すようにスライド式のスライドレバーを嵌挿し、このスライドレバーをノブ操作により左右にスライド操作して一方の回路遮断器のハンドル（ロッカー式ハンドル）をＯＦＦ位置に拘束した上で、さらにこの位置でスライドレバーに南京錠を施錠して管理者以外の第三者による無用な誤操作を防ぐようにしたメカニカルインターロック装置も知られており（例えば、非特許文献１参照）、その従来構造を図６，図７に示す。
【０００４】
図７において、１Ａ，１Ｂは左右に並べて盤内の取付パネル２に設置した回路遮断器、１ａは回路遮断器の前面中央に配して遮断器をＯＮ，ＯＦＦ操作するロッカー式ハンドル、３は回路遮断器１Ａと１Ｂの間をインターロックするメカニカルインターロックである。ここで、メカニカルインターロック３は、図６で示すように平板状のスライドレバー３ａと、該スライドレバー３ａの中央部分を嵌挿して左右方向（矢印Ｐ）にスライド可能に案内支持する基台３ｂと、該基台３ｂの上面に形成した長穴を通してスライドレバー３ａに植設した操作ノブ３ｃと、基台３ｂを取付パネル２にねじ４で固定する支持脚３ｄとの組立体になり、スライドレバー３ａの板面には南京錠を掛けて該スライドレバーをこの位置に拘束するように、操作ノブ３ｃを基準にして基台３ｂから左右に突き出す部位に錠掛け穴３ｅ（図示では右側の穴は基台の中に入り込んで描かれてない）が穿孔されている。なお、図示例の支持脚３ｄを使わずに、メカニカルインターロック３の基台３ｂを回路遮断器の前面に配したフラッシュパネルなどに配して使用するタイプもある。
【０００５】
上記構成のメカニカルインターロック３を使って図７の左側に並ぶ回路遮断器１ＡをＯＦＦ位置に鎖錠する場合には、回路遮断器１Ａのハンドル１ａをＯＦＦ位置（図面の手前側）に倒した状態で、メカニカルインターロック３のノブ３ｃを左側に操作してスライドレバー３ａの先端をロッカー式ハンドル１ａの背後に突き出す。次に、スライドレバー３ａの左側に穿孔した図示の錠掛け穴３ｅに南京錠を掛けて施錠する。
【０００６】
これにより、スライドレバー３ａが図示位置に拘束されて回路遮断器１Ａのハンドル１ａがＯＦＦ位置に鎖錠されることになる。なお、この状態では右側に並ぶ回路遮断器１Ｂのハンドル１ａはメカニカルインターロック３の干渉を受けずに自由な開閉操作が可能である。一方、前記とは逆に右側に並ぶ回路遮断器１ＢをＯＦＦ状態に鎖錠するには、スライドレバー３ａを右側にスライド操作してその先端をハンドル１ａの背後に突き出した上で、スライドレバー３ａの右側領域に穿孔した錠掛け穴（図６では基台３ｂの中に入り込んでいて図には表示してない）に南京錠を掛けて鎖錠する。
【０００７】
また、前記したメカニカルインターロック３について、その外形寸法は非特許文献１で表示されているように、スライドレバー３ａの長さＬ（図７参照）を適用する回路遮断器１Ａ，１Ｂのフレームサイズ（回路遮断器は、そのフレームサイズにより本体ケースの幅寸法Ｄが異なる）に合わせて定めており、メーカーでは回路遮断器のフレームサイズごとに対応する専用のメカニカルインターロックの製品を用意してユーザーに提供している。
【０００８】
また、ユーザーによっては、フレームサイズの異なる２台の回路遮断器を並置して使用する場合に適用できるメカニカルインターロックの要請もあり、このような要求に対して従来では、操作ノブを基準として左右に延在するスライドレバーの左右長さを変えた特殊品を用意してユーザーの要求に対応しているのが現状である。
【特許文献１】実開平５−９２９４２号公報（図１−図２）
【非特許文献１】オンラインカタログ“富士オートブレーカ・漏電遮断器”、ｐ．６６「メカニカルインターロック」、富士電機制御機器株式会社、［online］、[平成１８年５月１０日検索]、インターネット＜URL：http://www.fujielectric.co.jp/fcs/jpn/edc/catalog2/EH235/EH235a_C5.pdf＞
【発明の開示】
【発明が解決しようとする課題】
【０００９】
ところで、前述のように適用する回路遮断器のフレームサイズに合わせて外形寸法の異なるメカニカルインターロックを何種類も用意することは、製品コストが高くなるほか、その在庫管理も煩雑となる。この観点から、メカニカルインターロックの種類を標準化してフレームサイズの異なる回路遮断器，およびその特殊な組合せにも適用できるような対応策が望まれる。
【００１０】
本発明は上記の点に鑑みなされたものであり、その目的は前記課題を解決してメカニカルインターロックを標準化し、一種類で異なるフレームサイズの回路遮断器にも適用できるように改良した汎用性の高い回路遮断器のメカニカルインターロック装置を提供することを目的とする。
【課題を解決するための手段】
【００１１】
上記目的を達成するために、本発明によれば、左右に並置した２台の回路遮断器のいずれか一方の回路遮断器の操作ハンドルをＯＦＦ位置に鎖錠するメカニカルインターロック装置であり、該装置が２台の回路遮断器の間に介装する基台と、該基台に嵌挿して回路遮断器の前面側に迫り出し、操作ノブを介して左右へスライド可能に案内支持されたスライドレバーとからなり、スライドレバーには鎖錠位置に南京錠を掛ける錠掛け穴を開口したものにおいて、
前記スライドレバーを伸縮式レバーとし、そのレバーの実効長さを適用する回路遮断器のフレームサイズに合わせて可変設定するようにし（請求項１）、具体的には次記のような態様で構成するものとする。
（１）前記スライドレバーの左右両端部に、該スライドレバーの端縁から回路遮断器の操作ハンドル側に出没可能な可変レバーを設ける（請求項２）。
（２）前項（１）において、可変レバーをスライドレバーに対して設定位置にねじ締結するものとし、その固定ねじをスライドレバーの裏面側から締結する（請求項３）。
【発明の効果】
【００１２】
上記の構成によれば、適用する回路遮断器のフレームサイズに対応してスライドレバーの両端に設けた可変レバーの固定位置を変更し、操作ノブを基準として左右に延在するスライドレバーの実効長さを伸縮調整することにより、一機種のメカニカルインターロックでフレームサイズの異なる回路遮断器の相互間を適正にインターロックさせることができる。
【００１３】
また、この場合に左右の可変レバーを個別に選択して伸縮調整することで、フレームサイズの異なる２台の回路遮断器を組合せた特殊な用途にも柔軟に対応できるなど、従来品と比べてメーカーで用意するメカニカルインターロック機種を削減して，製品コストの大幅な低減化が図れる。
さらに、可変レバーをスライドレバーの裏面側からねじ締結することにより、スライドレバーを回路遮断器の前面に重ねて配置したメカニカルインターロックの実使用状態では、第三者が可変レバーの固定ねじを緩めて回路遮断器の鎖錠を解除することができなくなるので高い安全性を確保できる。
【発明を実施するための最良の形態】
【００１４】
以下、本発明の実施の形態を図１〜図５に示す実施例に基づいて説明する。なお、図示実施例の図中で図６，図７に対応する部材には同じ符号を付してその説明は省略する。
まず、図１，図２にメカニカルインターロック３の単体構造を示す。すなわち、図示実施例の構造は図６に示した従来品と基本的に同じであるが、基台３ｂに嵌挿したスライドレバー３ａが伸縮式のレバー構造になり、スライドレバー３ａの左右両端の裏面側にはそのレバー端縁から矢印方向に出没する可変レバー３ｆが追加装備されている。
【００１５】
ここで、可変レバー３ｆの板面にはその長手方向に複数（図示例では２箇所）のねじ穴３ｆ−１を穿孔し、このねじ穴３ｆ−１の配列ピッチに合わせスライドレバー３ａの両端部にはレバーの長手方向に沿って複数（図示例では３箇所）の伸縮調整用ねじ穴３ｇが穿孔されている。そして、前記調整用ねじ穴３ｇを選択してスライドレバー３ａの裏面側から可変レバー３ｆに２本の固定ねじ３ｈを螺合して所望の調整位置に締結するようにしている。なお、固定ねじ３ｈは、専用工具（ドライバー）を使わないとねじ操作ができない特殊ねじを使用するのが好ましい。
【００１６】
次に前記構成のメカニカルインターロック３をフレームサイズの異なる回路遮断器に適用した実使用例を図３，図４，図５に示す。
まず、図３はメカニカルインターロック３をフレームサイズが比較的大きな回路遮断器（例えば、２２５ＡＦ）に適用し、左右に並ぶ２台の回路遮断器１Ａ，１Ｂのうち左側の回路遮断器１ＡをハンドルＯＦＦの位置に鎖錠している実使用例を表している。この例では、左右に並ぶ２台の回路遮断器１Ａ，１Ｂの間に設置したメカニカルインターロック３について、その可変レバー３ｆをスライドレバー３ａの左右両端から引き出した位置に固定しておき、図示のように操作ノブ３ｃを左側に寄せてスライドレバー３ａを左側に移動した状態で、左側の可変レバー３ｆが回路遮断器１Ａの本体ケース（ケース横幅Ｄ１）から起立するロッカー式操作ハンドル１ａ（ＯＦＦ位置）の背後に突き出すようにし、この位置で基台３ｂの左側に露呈している錠掛け穴３ｅに南京錠（図示せず）を掛けて施錠することにより、回路遮断器１Ａの操作ハンドル１ａをＯＦＦ位置に鎖錠する。
【００１７】
一方、図４は前記と同じ機種のメカニカルインターロック３をフレームサイズが小さな回路遮断器（例えば、１００ＡＦ）に適用して、左側に並ぶ回路遮断器１ＡをＯＦＦ位置に鎖錠している実使用例を表している。この例では、回路遮断器の本体ケースの横幅（Ｄ２＜Ｄ１）に対応してメカニカルインターロック３の可変レバー３ｆをスライドレバー３ａの両端から突き出ないように押し込み位置に固定した設定で使用する。これにより、図３の例と比較してスライドレバー３ａの実効長が縮減し、左右に並ぶ回路遮断器１Ａと１Ｂの間を適正にインターロックさせることができる。
【００１８】
さらに、図５はフレームサイズの異なる２台の回路遮断器１Ａと１Ｂを組合せた場合に適用する特殊な実使用例を表している。すなわち、取付パネル２の左側に配置した回路遮断器１Ａのフレームサイズは例えば２２５ＡＦ（本体ケースの横幅Ｄ１）、右側に並ぶ回路遮断器１Ｂのフレームサイズは例えば１００ＡＦ（本体ケースの横幅Ｄ２：Ｄ２＜Ｄ１）であり、この場合にはメカニカルインターロック３のスライドレバー３ａの左側端に設けた可変レバー３ｆを引出し位置に固定し、右側に設けた可変レバー３ｆは押し込み位置に固定するように設定しておく。そして、左側の回路遮断器１Ａの操作ハンドル１ａをＯＦＦ位置に鎖錠するには、図示のように操作ノブ３ｃを左側に寄せて可変レバー３ｆを操作ハンドル１ａの背後に突き出し、この状態で錠掛け穴３ｅに南京錠５を掛けて鎖錠する。なお、前記とは逆に右側に並ぶ回路遮断器１Ｂの操作ハンドル１ａをＯＦＦ位置に鎖錠する場合は、操作ノブ３ｃを右側に寄せてスライドレバー３ａの右側端部を操作ハンドル１ａの背後に突き出すようにする。
【００１９】
これにより、フレームサイズの異なる回路遮断器を組合せた場合でも、図３，図４と同じ機種のメカニカルインターロック３を使用して回路遮断器の間を適正にインターロックすることができる。
なお、図示実施例では、スライドレバー３ａの両端に組合せた可変レバー３ｆを出，没のいずれかの位置で固定するようにしているが、可変レバー３ｆの長さを図示例よりも長くした上で、スライドレバー３ａに穿孔した調整用ねじ穴３ｇの数を増やして可変レバー３ｆの固定位置を多段階に設定できるようにすれば、スライドレバーの実効長を広範囲に伸縮調整することができて適用可能な回路遮断器のフレームサイズの拡大化が図れる。
【図面の簡単な説明】
【００２０】
【図１】本発明の実施例によるメカニカルインターロックの構造を示す外形斜視図
【図２】図１のメカニカルインターロックを裏面側から見た分解斜視図
【図３】図１のメカニカルインターロックをフレームサイズの大きな回路遮断器に適用した実使用状態の外観斜視図
【図４】図１のメカニカルインターロックをフレームサイズ小さな回路遮断器に適用した実使用状態例の外観斜視図
【図５】図１のメカニカルインターロックをフレームサイズが異なる回路遮断器の組合せに適用した実使用状態例の外観斜視図
【図６】メカニカルインターロックの従来構造を表す外形斜視図
【図７】図６のメカニカルインターロックを使用して左側に並ぶ回路遮断器の操作ハンドルをＯＦＦ位置に鎖錠した実使用状態を表す外観斜視図
【符号の説明】
【００２１】
１Ａ，１Ｂ  回路遮断器
１ａ    操作ハンドル
２    取付パネル
３    メカニカルインターロック
３ａ  スライドレバー
３ｂ  基台
３ｃ  操作ノブ
３ｄ  支持脚
３ｅ  錠掛け穴
３ｆ  可変レバー
３ｆ−１  ねじ穴
３ｇ  調整用ねじ穴
３ｈ  固定ねじ
５    南京錠
【図１】
2007324091.tif 000003
【図２】
2007324091.tif 000004
【図３】
2007324091.tif 000005
【図４】
2007324091.tif 000006
【図５】
2007324091.tif 000007
【図６】
2007324091.tif 000008
【図７】
2007324091.tif 000009